(57)【要約】【課題】  マザーボードとCPUの間に一対一の関係しか存在しないことに派生する問題を解決することができる、多種類の規格のCPUに交換可能なマザーボードの提供。【解決手段】  本発明の多種類の規格のCPUに交換可能なマザーボードは、特にマザーボード上のアダプタソケットとCPUアダプタボードの組み合わせ、またはマザーボード上のアダプタソケットとCPUアダプタの組み合わせにより、同一のマザーボードで多種類の規格のCPUをサポートし、また多種類の規格のマザーボードで多種類の規格のCPUを支援するという目的を達することができ、従来のコンピュータマザーボードとCPU間に一対一の関係しか存在しないことに派生する問題を解決する。【選択図】  図２
2006302994.tif 000002
【特許請求の範囲】
【請求項１】
マザーボードとCPUアダプタボードを含み、該マザーボードにアダプタソケットを設置し、該アダプタソケットに挿入スロットを設けると共に、該CPUアダプタボードの片側に一組のゴールドフィンガーを設置し、且つ、該ゴールドフィンガーを該アダプタソケットの挿入スロットに挿入して該マザーボードと電気的接続を形成し、該CPUアダプタボード上にCPUソケット及び複数のRAMソケットを設け、該CPUソケットに規格が合うCPUを挿入して設置すると共に、各RAMソケットにそれぞれRAMメモリカードを挿入して設置する、多種類の規格のCPUに交換可能なマザーボード。       
【請求項２】
前記CPUが、AMD７５４CPU、AMD９３９CPU及びAMD９４０CPUが構成するグループのうちの１つである、請求項１に記載の多種類の規格のCPUに交換可能なマザーボード。
【請求項３】
マザーボードとCPUアダプタを含み、該マザーボードにアダプタソケットを設置し、該アダプタソケットに複数のアダプタ挿入孔を設けると共に、該CPUアダプタに相互に背面が向き合った第一面及び第二面を形成し、該第一面に複数本のアダプタピンを設け、該アダプタピンを該アダプタソケットのアダプタ挿入孔に挿入し、該マザーボードと電気的接続を形成すると共に、該第二面に複数のCPUピン挿入孔を形成し、規格が合うCPUの挿入・設置に用いる、多種類の規格のCPUに交換可能なマザーボード。
【請求項４】
前記CPUが、AMD７５４CPU、AMD９３９CPU及びAMD９４０CPUが構成するグループのうちの１つである、請求項３に記載の多種類の規格のCPUに交換可能なマザーボード。
【発明の詳細な説明】
【技術分野】
【０００１】
本発明はコンピュータマザーボードに関し、詳細には、多種類の規格のCPUに交換が可能なマザーボードに関する。          
【背景技術】
【０００２】
これまで、異なる規格のCPUに対応し、マザーボード業者はCPUに合わせたマザーボードを作り出してきた。これら異なる規格のCPU間には多くの共通性があるにも関わらず、各規格のCPU設計専属のマザーボードが必要とされており、言い換えれば、同一のマザーボードを同時に多種類の規格のCPUに適用することはできないということである。
【０００３】
例えば、Advanced Micro Devices社がAMD６４プラットフォームを世に送り出してから今まで、すでにAMD７５４、AMD９４０及びAMD９３９の３種類のCPUを生み出し、それぞれ低、高、中階層の市場ニーズに合わせている。これら3種類のCPUには多くの共通性があるが、CPUのピン数が異なり、サポートするメモリカード形式がことなるために、マザーボード業者はこれら3種類のCPUに対しそれぞれ合うマザーボードを作ることが必要とされている。これは、マザーボードとCPUの間には常に一対一の関係が存在していることを表している。
【０００４】
マザーボード業者の角度から見ると、異なる市場階層の消費者に迎合するため、一つの規格のCPUに対し、多種類の機能的訴求が異なるマザーボードを設計することは必要なことである。これは、マザーボード業者が同一規格のCPUに対し、多種類の規格のマザーボードを準備しなければならないことを示し、多種類の規格のCPUに対してはさらに多くの規格のマザーボードを準備しなければならないということである。例えば、前述の3種類の規格のCPUに対し、各タイプにそれぞれ4種類の機能が異なるマザーボードを作るとすれば、マザーボード業者は１２種類の規格のマザーボードを準備する必要があり、且つ、各四種類の規格のマザーボードは同じ機能でありながら、搭載するCPUが異なるだけということになる。
【発明の開示】
【発明が解決しようとする課題】
【０００５】
このようなマザーボードとCPU間に一対一の関係のみが存在し、同一機能のマザーボードを多種類の規格で準備しなければならないという状況は、これまでずっと改善が見られず、マザーボード業者はあまりに多種類の規格のマザーボードを準備する必要があるため、そのコスト負担が増加している。このほか、前述の理由のために、消費者がCPUを交換したい場合、マザーボード全体も交換しなければならず、またマザーボードを交換したい場合はCPUも交換することになるため、消費者にとっても大きな負担となる。
【０００６】
本発明の目的は、これまでのコンピュータマザーボードとCPUの間に一対一の関係しか存在しないことに派生する問題を解決することができる、多種類の規格のCPUに交換可能なマザーボードを提供することにある。
【課題を解決するための手段】
【０００７】
本発明の１つの観点としてのマザーボードは、マザーボード及びCPUアダプタボードを含み、このマザーボード上にアダプタソケットを設け、CPUアダプタボードを挿入して設置し、且つ、このCPUアダプタボード上にCPUソケット及び複数のメモリカードソケットを設け、CPU及び対応する数のRAMメモリカードをそれぞれ挿入して設置する。このため、各規格のCPUに対し１種類のCPUアダプタボードを製作し、且つ、各種類のCPUを備えたCPUアダプタボードすべて同一のマザーボード上のアダプタソケットに挿入することができ、CPUを交換するときは、CPU及びその専属のCPUアダプタボードを交換するだけでよい。同様に、異なる機能のマザーボードに交換するときは、その異なる機能のマザーボード上に前述のアダプタソケットを設ければ、元のマザーボード上に設置されていたCPUアダプタボードを挿入し設置することができる。これは、這表示本発明によればマザーボード上のアダプタソケットとCPUアダプタボードを組み合わせることで、同一のマザーボードで多種類の規格のCPUをサポートするという目的と、多種類の規格のマザーボードで多種類の規格のCPUをサポートするという目的を達することができる。
【０００８】
また、本発明の他の観点としてのマザーボードは、マザーボード及びCPUアダプタを含み、マザーボード上にこのCPUアダプタを挿入して設置するアダプタソケットを設け、且つ、このCPUアダプタに相互に背面が向き合った第一面及び第二面を形成し、この第一面にはアダプタソケットに挿入する複数本のアダプタピンを設け、第二面には複数のCPUピン挿入孔を形成し、規格が合うCPUの挿入・設置に用いる。この例においては、本発明はアダプタソケット及びCPUアダプタを介して上述の例で述べた目的を達する。
【０００９】
上述の本発明で掲示する技術は、特にAMD７５４／９３９／９４０のCPUを使用する構成への実施に最適である。
【発明の効果】
【００１０】
本発明によれば、同一のマザーボードで多種類の規格のCPUをサポート可能であるとともに、多種類の規格のマザーボードで多種類の規格のCPUをサポートすることが可能となる。
【発明を実施するための最良の形態】
【００１１】
以下、本発明の実施例について図面を参照しながら説明する。
【実施例１】
【００１２】
図１に本発明の実施例１を示す。この実施例において本発明は、マザーボード１及びCPUアダプタボード２を含み、且つ、マザーボード１はアダプタソケット１０を備え、CPUアダプタボード２がこのアダプタソケット１０に挿入して設置され、CPU ３がさらにその上に挿入して設置される。
【００１３】
図２に示すように、このアダプタソケット１０はさらに挿入スロット１００を備え、またCPUアダプタボード２は一組のゴールドフィンガー２０を有し、この一組のゴールドフィンガー２０をアダプタソケット１０の挿入スロット１００に挿入することにより、マザーボード１と電気的接続を形成する。そのうち、このCPUアダプタボード２上には、規格が合うCPU ３を挿入するCPUソケット２１と、RAMメモリカード（図未表示）をそれぞれに挿入して設置するための２つのRAMソケット２２を搭載する。
【００１４】
この実施例１において、マザーボード１はいかなるRAMソケットも備えておらず、そのCPU ３と２つのRAMソケット２２が接続されるはずの各回路はすべてアダプタソケット１０に統合され、且つ、このアダプタソケット１０内部の各ピンに対応して接続される。CPUソケット２１のピンは、２つのRAMソケット２２の各ピンに対応して接続されるだけでなく、マザーボード１に接続されるはずの各回路はすべてゴールドフィンガー２０に統合される。このため、CPU ３をすでに搭載したCPUアダプタボード２を図１に示すようにアダプタソケット１０に挿入して設置すると、マザーボード１はこのCPU ３を演算の中心として各機能の動作を行うことができる。
【００１５】
図１、図２に示すCPUアダプタボード２は、このCPU ３（AMD９４０）専用であり、図３に示すCPUアダプタボード２ａは、CPU３ａ（AMD７５４）専用である。このCPUアダプタボード２ａ上のCPUソケット２１ａのピンは、２つのRAMソケット２２aの各ピンに対応して接続されるだけでなく、そのマザーボード１に接続されるはずの各回路がすべてゴールドフィンガー２０aに統合される。このため、このCPUアダプタボード２ａはCPU ３ａ専用であるため、その回路はCPUアダプタボード２とは異なるが、このCPUアダプタボード２ａはやはり直接アダプタソケット１０に挿入して設置することができ、マザーボード１と共に各機能の動作を行うことができる。
【００１６】
上述の説明から分かるように、マザーボード１はインターフェースカードを挿入・設置するかのようにCPUアダプタボード２を挿入・設置し、そのCPU ３をサポートするという目的を達することができる。同様に、CPUアダプタボード２ａを挿入・設置することで、そのCPU ３ａをサポートするという目的を達することができる。これは、這表示該このマザーボード１が２種類の規格が異なるCPU ３（AMD９４０）及びCPU ３ａ（AMD７５４）を同時にサポートできることを意味する。このほか、同じ方法をAMD９３９CPUに実施することもでき、このAMD９３９CPUとAMD９４０CPUはピン1本の違いであるため、AMD９３９CPUをサポートするCPUアダプタボードは図面上で図２に示すCPUアダプタボード２と非常に類似することから、ここでは別途図示しない。
【実施例２】
【００１７】
図４に本発明の実施例２を示す。この実施例において本発明は、マザーボード４及びCPUアダプタ５を含み、このマザーボード４はCPUアダプタ５を挿入して設置するアダプタソケット４０を備え、このCPUアダプタ５は規格が合うCPU ３を搭載するために用いる。
【００１８】
図5に示すように、このアダプタソケット４０に複数のアダプタ挿入孔４００を設け、CPUアダプタ５に相互に背面が向き合った第一面及び第二面を形成し、この第一面にはアダプタソケットに挿入する複数本のアダプタピン５０を設け、第二面にはCPU ３の各ピンを対応させて挿入する複数のCPUピン挿入孔５１を形成する。そのうち、このCPUアダプタ５は、これらアダプタピン５０をアダプタソケット４０のアダプタ挿入孔４００に対応させて挿入することで、マザーボード４と電気的接続を形成する。
【００１９】
この実施例２において、マザーボード４はRAMメモリカード（図未表示）を挿入して設置するために必要なRAMソケットを備えている。このマザーボード４は、CPU ３に接続されるはずの各回路がすべてアダプタソケット４０に統合され、且つ、このアダプタソケット４０のアダプタ挿入孔４００に対応して接続される。CPUアダプタ５の各アダプタピン５０も統合を経てアダプタソケット４０に合うようにする。このため、CPU ３をすでに搭載したCPUアダプタ５を図４に示すようにアダプタソケット４０に挿入して設置すると、マザーボード４はこのCPU ３を演算の中心として各機能の動作を行うことができる。
【００２０】
図４、図５に示すこのCPUアダプタ５は、このCPU ３（AMD９４０）専用であり、図６に示すCPUアダプタ５aは、CPU３ａ（AMD７５４）専用である。このCPUアダプタ５aの各アダプタピン５０ａも統合を経てアダプタソケット４０に合うようになっているため、このCPUアダプタ５aはCPU３ａ専用で、ピン数の違いなどCPUアダプタ５とは異なる点があるが、このCPUアダプタ５aはやはり直接アダプタソケット４０に挿入して設置でき、マザーボード４と共に各機能の動作を行うことができる。
【００２１】
この実施例２の説明から分かるように、このマザーボード４は、アダプタソケット４０とCPUアダプタ５を介し、CPU ３をサポートするという目的を達することができ、同様に、アダプタソケット４０とCPUアダプタ５aを介し、CPU３ａをサポートするという目的を達することができる。これは、このマザーボード４が２種類の規格の異なるCPU ３（AMD９４０）及びCPU ３ａ（AMD７５４）を同時にサポートできるということを意味する。
【００２２】
このほか、同じ方法をAMD９３９CPUに実施することもでき、このAMD９３９ CPUとAMD９４０CPUはピン１本の違いであるため、AMD９３９CPUをサポートするCPUアダプタは図面上で図５に示すCPUアダプタ５と非常に類似することから、ここでは別途図示しない。
【００２３】
このように本発明の実施例１、２において、マザーボード上のアダプタソケットとCPUアダプタボードの組み合わせ、またはマザーボード上のアダプタソケットとCPUアダプタの組み合わせにより、同一のマザーボードで多種類の規格のCPUをサポートするという目的を確実に達することができる。これは、マザーボード業者が３種類の規格のCPUに対し４種類の機能のマザーボードの提供を希望する場合、この４種類の機能に対し4種類の規格のマザーボードを準備するだけでよく、各種類の規格のマザーボードには本発明の技術を用い、これら３種類の規格のCPUを交換して組み合わせることができるため、全部で１２種類のCPUとマザーボードの組み合わせを形成することができる。
【００２４】
したがって、市場の様々な階層の消費ニーズを満足させることができるだけでなく、大幅にマザーボード業者のコスト負担を軽減できる。このほか、消費者にとっても、CPUを交換したい場合にマザーボードを交換する必要がなく、またマザーボードを交換したい場合にCPUを交換しなくてもよいため、消費者の費用負担も減少することができる。
【図面の簡単な説明】
【００２５】
【図１】本発明の実施例１を示す立体斜視図である。
【図２】本発明の実施例１を示す立体分解図である。
【図３】本発明の実施例１をAMD７５４CPUで実施した状態を示す立体分解図である。
【図４】本発明の実施例２の立体斜視図である。
【図５】本発明の実施例２の立体分解図である。
【図６】本発明の実施例２をAMD７５４CPUで実施した状態を示す立体分解図である。
【符号の説明】
【００２６】
１、４        マザーボード
１０、４０    アダプタソケット
１００        挿入スロット 
２、２ａ      CPUアダプタボード
２０、２０a   ゴールドフィンガー
２１、２１ａ  CPUソケット
２２、２２a   RAMソケット
３、３ａ       CPU
４００       アダプタ挿入孔
５、５ａ      CPUアダプタボード
５０、５０ａ  アダプタピン
５１          CPU ピン挿入孔
【図１】
2006302994.tif 000003
【図２】
2006302994.tif 000004
【図３】
2006302994.tif 000005
【図４】
2006302994.tif 000006
【図５】
2006302994.tif 000007
【図６】
2006302994.tif 000008